【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
経路の案内において経路の周辺の地点の情報を提供する情報提供装置であって、
目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する経路データ準備部と、
前記経路データに基づいて、前記経路に関する案内を行う経路案内部と、を含み、
前記経路案内部は、
前記第１種の情報に基づいて、前記経路の案内を行う案内実行部と、
前記近傍領域内または前記近傍領域の近傍の所定の範囲内に現在位置があるときに、前記第２種の情報についての紹介を行い、前記近傍領域における前記享受物と同じ享受物を享受できる他の領域に関する情報の要求をユーザに促す近傍領域紹介部と、
前記他の領域に関する情報の要求を前記ユーザから受け取った場合に、前記近傍領域における前記享受物と同じ享受物を享受できる複数の地点を含む領域であって、現在位置の近傍の範囲である第２の範囲と重複する代替領域を、前記他の領域として提示する代替領域提示部と、
前記近傍領域と前記代替領域とから選択された領域の指定を受けて、前記選択された領域において前記享受物を享受できる地点の情報を提供する情報提供部と、を含む情報提供装置。
【請求項２】
請求項１記載の情報提供装置であって、
前記第２種の情報は、複数の前記近傍領域に関する情報を含み、
現在位置が前記経路上を移動する際の前記第２の範囲は、前記第１の範囲に含まれ、
前記代替領域提示部は、前記第２種の情報に基づいて、前記第２種の情報がその情報を含んでいる前記複数の近傍領域の中の領域を前記代替領域として提示する、情報提供装置。
【請求項３】
請求項１または２記載の情報提供装置であって、
前記第２の範囲は、前記経路の近傍の所定の範囲であって、現在位置と、前記経路のうち現在位置よりも下流側の一部と、を含む範囲である、情報提供装置。
【請求項４】
請求項１または２記載の情報提供装置であって、
前記案内実行部は、画像を表示することができる画像表示部に、前記経路の一部と現在位置とを表示して、前記経路の案内を行い、
前記代替領域提示部は、前記案内実行部による前記経路の案内における表示範囲よりも広い範囲の前記経路とともに、前記近傍領域と前記代替領域とを、前記画像表示部に表示し、
前記第２の範囲は、前記代替領域の提示の際に前記代替領域提示部により前記画像表示部に表示される地理上の範囲を含む範囲である、情報提供装置。
【請求項５】
請求項４記載の情報提供装置であって、
前記代替領域提示部は、
前記近傍領域において、前記享受物を享受できる前記地点の地理上の単位面積あたりの数が所定の数よりも少ない場合には、前記近傍領域を、第１の色を使用して表示し、
前記近傍領域において、前記享受物を享受できる前記地点の地理上の単位面積あたりの数が前記所定の数よりも多い場合には、前記近傍領域を、前記第１の色よりも濃い第２の色を使用して表示し、
前記代替領域において、前記享受物を享受できる前記地点の地理上の単位面積あたりの数が前記所定の数よりも少ない場合には、前記代替領域を、第３の色を使用して表示し、
前記代替領域において、前記享受物を享受できる前記地点の地理上の単位面積あたりの数が前記所定の数よりも多い場合には、前記代替領域を、前記第３の色よりも濃い第４の色を使用して表示する、情報提供装置。
【請求項６】
請求項１ないし５のいずれかに記載の情報提供装置であって、
前記情報提供部は、
前記第２種の情報に基づいて、検索条件の少なくとも一部を決定し、
前記享受物を享受できる地点に関する情報を格納する地点データベースを参照し、前記検索条件を使用して、前記享受物を享受できる前記地点に関する情報検索を行って、検索結果を出力する、情報提供装置。
【請求項７】
請求項６記載の情報提供装置であって、
前記第２種の情報は、前記享受物に関する情報を含み、
前記地点データベースは、前記享受物を享受できる前記地点の位置に関する情報と、前記享受物の分類に関する情報とを対応づけて格納しており、
前記情報提供部は、
前記検索条件として、前記享受物の分類に関する条件を使用して前記情報検索を行い、
前記検索条件の少なくとも一部を決定する際に、前記第２種の情報に含まれる前記享受物に関する前記情報に基づいて、前記享受物の分類に関する条件の少なくとも一部を決定する、情報提供装置。
【請求項８】
請求項６記載の情報提供装置であって、
前記第２種の情報は、前記享受物に関する情報を含み、
前記地点データベースは、前記享受物を享受できる前記地点に関する情報と、前記享受物に関する情報とを対応づけて格納しており、
前記情報提供部は、
前記検索条件としてキーワードを使用して前記情報検索を行い、
前記検索条件の少なくとも一部を決定する際に、前記第２種の情報に含まれる前記享受物に関する前記情報に基づいて、前記キーワードの少なくとも一部を決定する、情報提供装置。
【請求項９】
経路の案内において経路の周辺の地点の情報を提供する情報提供装置で使用される情報提供方法であって、
（a）目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する工程と、
（b）前記経路データに基づいて、前記情報提供装置が前記経路に関する案内を行う工程と、を含み、
前記工程（b）は、
（b1）前記情報提供装置が、前記第１種の情報に基づいて、前記経路の案内を行う工程と、
（b2）前記近傍領域内または前記近傍領域の近傍の所定の範囲内に現在位置があるときに、前記情報提供装置が、前記第２種の情報に基づいて、前記享受物に関する前記近傍領域の紹介を行い、前記近傍領域における前記享受物と同じ享受物を享受できる他の領域に関する情報の要求をユーザに促す工程と、
（b3）前記他の領域に関する情報の要求を前記ユーザから受け取った場合に、前記近傍領域における前記享受物と同じ享受物を享受できる複数の地点を含む領域であって、現在位置の近傍の範囲である第２の範囲と重複する代替領域を、前記他の領域として前記情報提供装置が提示する工程と、
（b4）前記近傍領域と前記代替領域から選択された領域の指定を受けて、前記情報提供装置が、前記選択された領域において前記享受物を享受できる地点の情報を提供する工程と、を含む情報提供方法。
【請求項１０】
請求項９記載の情報提供方法であって、
前記第２種の情報は、複数の前記近傍領域に関する情報を含み、
現在位置が前記経路上を移動する際の前記第２の範囲は、前記第１の範囲に含まれ、
前記工程（b3)は、
前記第２種の情報に基づいて、前記第２種の情報がその情報を含んでいる前記複数の近傍領域の中の領域を前記代替領域として提示する工程を含む、情報提供方法。
【請求項１１】
請求項９または１０記載の情報提供方法であって、
前記第２の範囲は、前記経路の近傍の所定の範囲であって、現在位置と、前記経路のうち現在位置よりも下流側の一部と、を含む範囲である、情報提供方法。
【請求項１２】
請求項９または１０記載の情報提供方法であって、
前記工程（b1）は、
（b5）画像を表示することができる画像表示部に、前記経路の一部と現在位置とを表示して、前記経路の案内を行う工程を含み、
前記工程（b3）は、
（b6）前記工程（b5）よりも広い範囲の前記経路とともに、前記近傍領域と前記代替領域とを、前記画像表示部に表示する工程を含み、
前記第２の範囲は、前記工程（b6）において前記画像表示部に表示される地理上の範囲を含む範囲である、情報提供方法。
【請求項１３】
請求項１２記載の情報提供方法であって、
前記工程（b6)は、
前記近傍領域において、前記享受物を享受できる前記地点の地理上の単位面積あたりの数が所定の数よりも少ない場合には、前記近傍領域は、第１の色を使用して表示され、
前記近傍領域において、前記享受物を享受できる前記地点の地理上の単位面積あたりの数が前記所定の数よりも多い場合には、前記近傍領域は、前記第１の色よりも濃い第２の色を使用して表示され、
前記代替領域において、前記享受物を享受できる前記地点の地理上の単位面積あたりの数が前記所定の数よりも少ない場合には、前記代替領域は、第３の色を使用して表示され、
前記代替領域において、前記享受物を享受できる前記地点の地理上の単位面積あたりの数が前記所定の数よりも多い場合には、前記代替領域は、前記第３の色よりも濃い第４の色を使用して表示される工程を含む、情報提供方法。
【請求項１４】
請求項９ないし１３のいずれかに記載の情報提供方法であって、
前記工程（b4）は、
（b7）前記第２種の情報に基づいて、検索条件の少なくとも一部を決定する工程と、
（b8）前記享受物を享受できる地点に関する情報を格納する地点データベースを参照し、前記検索条件を使用して、前記享受物を享受できる前記地点に関する情報検索を行って、検索結果を出力する工程と、を含む、方法。
【請求項１５】
請求項１４記載の方法であって、
前記第２種の情報は、前記享受物に関する情報を含み、
前記地点データベースは、前記享受物を享受できる前記地点の位置に関する情報と、前記享受物の分類に関する情報とを対応づけて格納しており、
前記工程（b8）は、
前記検索条件として、前記享受物の分類に関する条件を使用して前記情報検索を行う工程を含み、
前記工程（b7）は、
前記第２種の情報に含まれる前記享受物に関する前記情報に基づいて、前記享受物の分類に関する条件の少なくとも一部を決定する工程と、を含む、情報提供方法。
【請求項１６】
請求項１４記載の情報提供方法であって、
前記第２種の情報は、前記享受物に関する情報を含み、
前記地点データベースは、前記享受物を享受できる前記地点に関する情報と、前記享受物に関する情報とを対応づけて格納しており、
前記工程（b8）は、
前記検索条件としてキーワードを使用して前記情報検索を行う工程を含み、
前記工程（b7）は、
前記第２種の情報に含まれる前記享受物に関する前記情報に基づいて、前記キーワードの少なくとも一部を決定する工程と、を含む、情報提供方法。
【請求項１７】
コンピュータにおいて実行され、経路の案内において経路の周辺の地点の情報を前記コンピュータに提供させるためのコンピュータプログラムであって、
目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する第１の機能と、
前記経路データに基づいて、前記経路に関する案内を行う第２の機能と、を前記コンピュータに実現させるコンピュータプログラムであり、
前記第２の機能は、
前記第１種の情報に基づいて、前記経路の案内を行う第３の機能と、
前記近傍領域内または前記近傍領域の近傍の所定の範囲内に現在位置があるときに、前記第２種の情報に基づいて、前記享受物に関する前記近傍領域の紹介を行い、前記近傍領域における前記享受物と同じ享受物を享受できる他の領域に関する情報の要求をユーザに促す第４の機能と、
前記他の領域に関する情報の要求を前記ユーザから受け取った場合に、前記近傍領域における前記享受物と同じ享受物を享受できる複数の地点を含む領域であって、現在位置の近傍の範囲である第２の範囲と重複する代替領域を、前記他の領域として提示する第５の機能と、
前記近傍領域と前記代替領域から選択された領域の指定を受けて、前記選択された領域において前記享受物を享受できる地点の情報を提供する第６の機能と、を含むコンピュータプログラム。
【手続補正２】
【補正対象書類名】明細書
【補正対象項目名】０００６
【補正方法】変更
【補正の内容】
【０００６】
本願に係る発明の少なくとも一部は、経路の近傍で享受物を享受できる地点の情報を入手する際のユーザの利便性を向上させることを目的とする。
本発明は、様々な態様において、経路の案内において経路の周辺の地点の情報を提供する際に、以下のような処理を行う。